(57)【要約】【課題】給油ポンプの吐出パイプの径が異なっても、該吐出パイプを油タンクの口部に安定させて位置決めできる給油ポンプの吐出パイプ保持器を得る。【解決手段】前部に筒部を挟む挟持部、後部に前記挟持部を拡開させる摘まみ部、前後方向中間部にヒンジ部を有する物挟みであって、石油燃焼器の油タンク（２）の口部（２ａ）を挟持し得る挟持部（６，６ｂ）を有する第１物挟み（５）と、給油ポンプ（３）の吐出パイプ（３ｃ）を挟持し得る挟持部（１１）を有する第２物挟み（１０）とを設け、前記第１物挟み（５）の上側に前記第２物挟み（１０）を重ねるとともに、両者をそのヒンジ部（８，１４）で互いに連結する。【選択図】図２
2006125197.tif 000002
【特許請求の範囲】
【請求項１】
前部に筒部を挟む挟持部、後部に前記挟持部を拡開させる摘まみ部、前後方向中間部にヒンジ部を有する物挟みであって、石油燃焼器の油タンク（２）の口部（２ａ）を挟持し得る挟持部（６，６ｂ）を有する第１物挟み（５）と、給油ポンプ（３）の吐出パイプ（３ｃ）を挟持し得る挟持部（１１）を有する第２物挟み（１０）とを設け、前記第１物挟み（５）の上側に前記第２物挟み（１０）を重ねるとともに、両者をそのヒンジ部（８，１４）で互いに連結したことを特徴とする給油ポンプの吐出パイプ保持器。
【請求項２】
第２物挟み（１０）の挟持部（１１）に下方に伸びる規制具（１２）を設けるとともに、該規制具（１２）の下部を第１物挟み（５）の挟持部（６，６ａ）に嵌合させたことを特徴とする請求項１記載の給油ポンプの吐出パイプ保持器。
【請求項３】
規制具（１２）は、第２物挟み（１０）の左右一対の挟持片（１１ａ，１１ａ）の内周に沿う円弧状としたことを特徴とする請求項１又は２記載の給油ポンプの吐出パイプ保持器。
【発明の詳細な説明】
【技術分野】
【０００１】
本発明は、石油ストーブ、石油温水器等、石油燃焼器の油タンク（カートリッジタンク）に給油する給油ポンプに関し、特に給油ポンプの吐出パイプを油タンクの口部に位置決めして保持する給油ポンプの吐出パイプ保持器に関するするものである。
【背景技術】
【０００２】
従来の技術として特許文献１があった。即ち、前部側に上下に分割された２個の挟持部を有する二連物挟みを設け、上部側の挟持部にＵ型のパイプ固定部を設け、下部側の挟持部で油タンク（カートリッジタンク）の口部を挟持し、上記パイプ固定部で石油ポンプの吐出パイプを嵌合保持するようにしたものがあった。
【０００３】
一般に石油燃焼器の油タンク（カートリッジタンク）に給油する給油ポンプは、給油する油タンクの大きさ、給油速度の設定等によってその吐出パイプの径が異なっている。上記特許文献１のものは、上部側の挟持部に設けるパイプ固定部の幅が常時一定となっていたため、上記吐出パイプの径が異なると、これに対応させることができないものであった。
【特許文献１】特開平１０−３１１２７５号公報
【発明の開示】
【発明が解決しようとする課題】
【０００４】
本発明は、給油ポンプの吐出パイプの径が異なっても、該吐出パイプを油タンクの口部に安定させて位置決め保持できるようにしたものである。
【課題を解決するための手段】
【０００５】
請求項１に係る発明は、前部に筒部を挟む挟持部、後部に前記挟持部を拡開させる摘まみ部、前後方向中間部にヒンジ部を有する物挟みであって、石油燃焼器の油タンクの口部を挟持し得る挟持部を有する第１物挟みと、給油ポンプの吐出パイプを挟持し得る挟持部を有する第２物挟みとを設け、前記第１物挟みの上側に前記第２物挟みを重ねるとともに、両者をそのヒンジ部で互いに連結する構成にしたものである。
請求項２に係る発明は、前記第２物挟みの挟持部に下方に伸びる規制具を設けるとともに、該規制具の下部を第１物挟みの挟持部に嵌合させたものである。
請求項３に係る発明は、前記規制具を、第２物挟みの左右一対の挟持片の内周に沿う円弧状としたものである。
【発明の効果】
【０００６】
請求項１に係る発明は、第１物挟みの上側に第２物挟みを重ね、両者をそのヒンジ部で互いに連結したので、該第１物挟みと第２物挟みとはそれぞれ個別に開閉作動可能となる。このため、下部側の第１物挟みで石油燃焼器の油タンクの口部を挟持した後、上部側の第２物挟みの挟持部の開口量を個別に調節することにより、給油ポンプの吐出パイプの径が異なっても、該吐出パイプを確実に挟持して油タンク（カートリッジタンク）の口部に容易に位置決めすることができる。
請求項２に係る発明は、第２物挟みの挟持部に設けた規制具の下部が第１物挟みの挟持部に嵌合しているので、該第２物挟みの挟持部が常に第１物挟みの挟持部の上側に対面することになり、油タンクの口部で吐出パイプを迅速に挟持することができる。
請求項３に係る発明は、前記規制具を、第２物挟みの左右一対の挟持片の内周に沿う円弧状としたので、吐出パイプを挟持した際に、該吐出パイプを油タンクの口部に対して鉛直に保持することができ、給油が安定して行なえることになる。
【発明を実施するための最良の形態】
【０００７】
以下本発明の実施の形態を図面に基いて説明する。図面において、図１は本発明の使用状態を示す側面図、図２は本発明による吐出パイプ保持器の側面図、図３は図２の平面図、図４は油タンクの口部及び吐出パイプの挟持状態を示す平面図、図５は本発明の他の実施例を示す側面図である。
【０００８】
図１において、１は灯油（石油）が収容された灯油タンク、２は石油燃焼器の油タンク（カートリッジタンク）、３はサイホン形の給油ポンプであり、ポンプ部３ａに吸引パイプ３ｂ及び吐出パイプ３ｃを接続してなり、吸引パイプ３ｂを灯油タンク１内に、吐出パイプ３ｃを油タンク２内に挿入し、ポンプ部３ａを操作することによって上記灯油タンク１内の灯油を油タンク２内に給油するようになっている。
【０００９】
４は上記給油ポンプ３の吐出パイプ３ｃの先端部を油タンク２の口部２ａに位置決めする吐出パイプ保持器であり、図２、図３に示すように、油タンク２の口部２ａを挟持し得る大型の第１物挟み５の上部側に、給油ポンプ３の吐出パイプ３ｃを挟持し得る小型の第２物挟み１０を重ねて互いに連結してなる。
【００１０】
上記第１物挟み５は二連形の物挟みからなり、前部側（図２において右部側）に上下に分割された２組の挟持部６ａ，６ｂを形成し、後部側に該挟持部６ａ，６ｂを同時に拡開させる１組の摘まみ部７を形成し、前後方向中間部にヒンジ部８を形成する。上記挟持部６ａ，６ｂはそれぞれ左右一対の挟持片６ｃ，６ｃを油タンク２の口部２ａが挟持できる円弧状とする。上記挟持部６ａ，６ｂは前後方向中間部に設けたばね９の弾性力によって常時閉じる方向に付勢される。
【００１１】
また、上記第２物挟み１０は一連形の物挟みからなり、前部側（図２において右部側）に１組の挟持部１１を形成し、後部側に該挟持部１１を拡開させる１組の摘まみ部１３を形成し、前後方向中間部にヒンジ部１４を形成する。上記挟持部１１は左右一対の挟持片１１ａ，１１ａを給油ポンプ３の吐出パイプ３ｃが挟持できる円弧状とする。また、各挟持片１１ａ，１１ａに下方に伸びる規制具１２を一体的に固定する。該規制具１２は、各挟持片１１ａ，１１ａの内周に沿う円弧状にしてその下部を前述した第１物挟み５の上部側の挟持部６ａに嵌合させる。上記挟持部１１は前後方向中間部に設けたばね１５の弾性力によって常時閉じる方向に付勢される。
【００１２】
上記第２物挟み１０は第１物挟み５の上部側に重ね、両者のヒンジ部８，１４に連結ピン１６を上下方向に挿通し、該連結ピン１６により上記第２物挟み１０を第１物挟み５に分離不能かつ回動可能に連結する。なお、上記第２物挟み１０は第１物挟み５に回動不能に連結してもよい。
【００１３】
図５は吐出パイプ保持器４の第２実施例を示す。このものは、上記第１物挟み５を一連形の物挟みとしたものである。即ち、前部側（図５において右部側）に１組の挟持部６を、後部側に上記挟持部６を拡開させる１組の摘まみ部７を、前後方向中間部にヒンジ部８をそれぞれ形成し、前後方向中間部に挟持部６を常時閉じる方向に付勢するばね９を取り付けたものである。このようにすれば、吐出パイプ保持器４をより小型にすることができる。その他は前述した実施例のものと略同様の構造となっている。
【００１４】
上記実施例によれば、第２物挟み１０を第１物挟み５の上側に重ねて連結し、これを単独で開閉するようにしたので、下部側の第１物挟み５で石油燃焼器の油タンク２の口部２ａを挟持した後、上部側の第２物挟み１０で径の異なる吐出パイプ３ｃを容易に挟持することができ、給油ポンプ３の種類（大きさ）に左右されることなく、その吐出パイプ３ｃを安定して油タンク２の口部２ａに位置決めすることができる。
【００１５】
この場合、上記第２物挟み１０の挟持部１１に第１物挟み５の挟持部６（６ａ）と係合する円弧状の規制具１２を設けたので、該規制具１２により第２物挟み１０の挟持部１１を常に第１物挟み５の挟持部６（６ａ）の上側に対面させることとなり、油タンク２の口部２ａに位置させた吐出パイプ３ｃを迅速に挟持することができる。また、上記規制具１２が吐出パイプ３ｃを油タンク２の口部２ａで鉛直に保持することになり、給油が安定して行なえることになる。
【図面の簡単な説明】
【００１６】
【図１】図１は本発明の使用状態を示す側面図である。
【図２】本発明による吐出パイプ保持器の側面図である。
【図３】図２の平面図である。
【図４】油タンクの口部及び吐出パイプの挟持状態を示す平面図である。
【図５】本発明の他の実施例を示す側面図である。
【符号の説明】
【００１７】
１    灯油タンク
２    油タンク（カートリッジタンク）
２ａ  口部
３    給油ポンプ
３ａ  ポンプ部
３ｂ  吸引パイプ
３ｃ  吐出パイプ
４    吐出パイプ保持器
５    第１物挟み
６（６ａ，６ｂ）    挟持部
６ｃ  挟持片
７    摘まみ部
８    ヒンジ部
９    ばね
１０    第２物挟み
１１    挟持部
１１ａ  挟持片
１２    規制具
１３  摘まみ部
１４    ヒンジ部
１５    ばね
１６    連結ピン
【図１】
2006125197.tif 000003
【図２】
2006125197.tif 000004
【図３】
2006125197.tif 000005
【図４】
2006125197.tif 000006
【図５】
2006125197.tif 000007